(57)【要約】      （修正有）【課題】ラジオ放送から所定の情報を取得し、自動的に出力する。【解決手段】画像形成装置は、ラジオ放送を受信するラジオ受信部５００と、該ラジオ受信部５００により受信したラジオ放送を音声認識する音声認識部１１８と、該音声認識部１１８で音声認識されたラジオ放送からキーワードを検索し、該キーワードが検索された音声部分を出力する制御部とを備える。【選択図】図１
2015056839.tif 000002
【特許請求の範囲】
【請求項１】
ラジオ放送を受信するラジオ受信部と、
該ラジオ受信部により受信したラジオ放送を音声認識する音声認識部と、
該音声認識部で音声認識されたラジオ放送からキーワードを検索し、該キーワードが検索された音声部分を出力する制御部と
を備える、画像形成装置。
【請求項２】
前記制御部は、前記画像形成装置とネットワークとの間の接続が切断されたことを検出した場合に、前記ラジオ受信部によりラジオ放送を受信するように制御する、請求項１に記載の画像形成装置。
【請求項３】
前記制御部は、前記画像形成装置と電話回線との間の接続が切断されたことを検出した場合に、前記ラジオ受信部によりラジオ放送を受信するように制御する、請求項１に記載の画像形成装置。
【請求項４】
前記制御部は、前記ラジオ放送の受信開始時刻および受信終了時刻を設定するとともに、該受信開始時刻および受信終了時刻にしたがって、前記ラジオ受信部を制御する、請求項１に記載の画像形成装置。
【請求項５】
前記制御部は、キーワードを登録するとともに、前記音声認識部で音声認識されたラジオ放送から前記キーワードを検索する、請求項１ないし４のいずれか１項に記載の画像形成装置。
【請求項６】
前記制御部は、前記キーワードが検索された音声部分をテキストデータに変換し、該テキストデータを出力する、請求項１ないし５のいずれか１項に記載の画像形成装置。
【請求項７】
ラジオ放送を受信するラジオ受信部と、
該ラジオ受信部により受信したラジオ放送を音声認識する音声認識部と、
該音声認識部で音声認識されたラジオ放送からキーワードを検索し、該キーワードが検索された音声部分を出力する制御部と
を備える、システム。
【請求項８】
ラジオ放送を受信するラジオ受信部により受信したラジオ放送を音声認識し、
該音声認識されたラジオ放送からキーワードを検索し、
該キーワードが検索された音声部分を出力する、画像形成装置が実行する方法。
【発明の詳細な説明】
【技術分野】
【０００１】
本発明は、画像形成装置に関する。
【背景技術】
【０００２】
ラジオ放送を音声認識してテキストに変換するとともに、テキストから電話番号やＵＲＬ(Uniform Resource Locator)などの情報を取得し、記憶する技術が知られている（例えば、特許文献１参照）。
【発明の概要】
【発明が解決しようとする課題】
【０００３】
テキストに変換したラジオ放送から取得した電話番号やＵＲＬなどの情報を印刷するには、印刷するための操作が必要である。ラジオ放送から取得したテキストなどの情報は自動的に印刷できるのが好ましい。
【０００４】
本発明は、ラジオ放送から所定の情報を取得し、自動的に出力することを目的とする。
【課題を解決するための手段】
【０００５】
開示の一実施例の画像形成装置は、
ラジオ放送を受信するラジオ受信部と、
該ラジオ受信部により受信したラジオ放送を音声認識する音声認識部と、
該音声認識部で音声認識したラジオ放送からキーワードを検索し、該キーワードが検索された音声部分を出力する制御部と
を備える。
【発明の効果】
【０００６】
開示の実施例によれば、ラジオ放送から所定の情報を取得し、自動的に出力することができる。
【図面の簡単な説明】
【０００７】
【図１】画像形成装置の一実施例を示す図である。
【図２】画像形成装置の一実施例を示す機能ブロック図である。
【図３】画像処理装置の動作（その１）の一実施例を示すフローチャートである。
【図４】画像処理装置の動作（その２）の一実施例を示すフローチャートである。
【図５】画像処理装置の動作（その３）の一実施例を示すフローチャートである。
【図６】画像処理装置の動作（その４）の一実施例を示すフローチャートである。
【発明を実施するための形態】
【０００８】
次に、本発明を実施するための形態を、以下の実施例に基づき図面を参照しつつ説明する。以下で説明する実施例は一例に過ぎず、本発明が適用される実施の形態は、以下の実施例に限られない。
なお、実施例を説明するための全図において、同一機能を有するものは同一符号を用い、繰り返しの説明は省略する。
【０００９】
＜実施例＞
＜画像形成装置＞
図１は、画像形成装置の一実施例を示す。
【００１０】
画像形成装置は、コントローラ１００と、ホストＰＣ２００と、エンジン３００と、パネル装置４００と、ラジオ受信部５００とを備える。
【００１１】
コントローラ１００は、画像形成装置を制御する。
【００１２】
ホストＰＣ２００は、コントローラ１００との間で情報の送受信を行う。例えば、ホストＰＣ２００は、コントローラ１００に印刷データを送信する。また、ホストＰＣ２００は、画像形成装置の印刷状態などの動作状態を表示できる。また、ホストＰＣ２００は、画像形成装置の印刷条件などの動作に関する設定を変更することができる。
【００１３】
エンジン３００は、用紙に画像、文字などを印刷する。
【００１４】
パネル装置４００は、ユーザが画像形成装置の操作を行う装置である。パネル装置４００は、画像形成装置の動作状態を表示できる。
【００１５】
ラジオ受信部５００は、ラジオ放送を受信する。
【００１６】
＜コントローラ１００＞
コントローラ１００は、ＣＰＵ１０２と、ＲＯＭ１０４と、ＲＡＭ１０６と、ＮＶＲＡＭ１０８と、ネットワークＩ／Ｆ１１０と、エンジンＩ／Ｆ１１２と、パネルＩ／Ｆ１１４と、電話回線端子１１６と、音声認識部１１８とを備える。
【００１７】
ＣＰＵ１０２と、ＲＯＭ１０４と、ＲＡＭ１０６と、ＮＶＲＡＭ１０８と、ネットワークＩ／Ｆ１１０と、エンジンＩ／Ｆ１１２と、パネルＩ／Ｆ１１４と、電話回線端子１１６と、音声認識部１１８は、バス１５０により互いに接続される。図１には、１個のＣＰＵが示されているが、複数であってもよい。また、ＣＰＵ１０２は、内部に複数のコアプロセッサを有する、いわゆるマルチコア技術を適用したものであってもよい。
【００１８】
ＣＰＵ１０２は、その内部に格納されるプログラム（ファームウェア）やＲＯＭ１０４に格納されるプログラムの命令を実行する。
【００１９】
ＲＯＭ１０４は、コントローラ１００上で動作するためのプログラムを格納する。
【００２０】
ＲＡＭ１０６は、コントローラ１００がプログラムを実行することにより作成するページメモリやソフトウエアが動作するために必要なワークメモリとして利用するメモリである。また、ＲＡＭ１０６は、エンジン３００に画像のラスタデータを一時的に保存するフレームメモリとして利用するメモリである。また、ＲＡＭ１０６は、ラジオ放送を格納する。
【００２１】
ＮＶＲＡＭ１０８は、画像形成装置の印刷条件などの動作に関する設定などを保存する不揮発性メモリである。また、ＮＶＲＡＭ１０８は、ラジオ放送を変換することにより得られるテキストデータを格納する。
【００２２】
ネットワークＩ／Ｆ１１０は、コントローラ１００とネットワークに接続されたホストＰＣ２００との間でデータのやり取りを行うインターフェースである。
【００２３】
エンジンＩ／Ｆ１１２は、コントローラ１００とエンジン３００との間で印刷指示などを行うインターフェースである。
【００２４】
パネルＩ／Ｆ１１４は、コントローラ１００とパネル装置４００との間で情報の入出力を行うインターフェースである。
【００２５】
電話回線端子１１６は、電話回線と接続され、コントローラ１００とファクシミリ（図示なし）との間でデータの送受信を行うための端子である。
【００２６】
音声認識部１１８は、音声を解析することにより音声認識を行い、話している内容を文字データとして取り出す処理を行う。例えば、音声認識部１１８は、音声認識によりラジオ放送を所定の文書データへ変換する。
【００２７】
＜ラジオ受信部５００＞
ラジオ受信部５００は、受信部５０２と、アンテナ５０４とを有する。
【００２８】
アンテナ５０４は、電波を受け、同調回路により目的の電波信号を取り出す。
【００２９】
受信部５０２は、無線周波数(Radio Frequency)の信号から復調（検波）により音声信号を得る。
【００３０】
画像形成装置の一実施例では、ラジオ受信部５００でラジオ放送を受信する。画像形成装置は、ラジオ受信部５００で受信したラジオ放送をＲＡＭ１０６に一時的に記憶する。画像形成装置は、ＲＡＭ１０６に一時的に記憶したラジオ放送の音声認識を行い、音声認識したラジオ放送からキーワードを検索する。音声認識によりラジオ放送は、所定の文書データへ変換される。
【００３１】
画像形成装置は、音声認識したラジオ放送からキーワードを検索できる場合、キーワードの音声部分をテキストデータに変換する。音声認識によりラジオ放送がテキストデータへ変換される場合には、この処理は必ずしも必要ない。画像形成装置は、テキストデータに変換したキーワードの音声部分をＮＶＲＡＭ１０８に保存する。画像形成装置は、ＮＶＲＡＭ１０８に保存したテキストデータを出力する。例えば、画像形成装置は、ＮＶＲＡＭ１０８に保存したテキストデータを印刷する。
【００３２】
音声認識されたラジオ放送には、音声部分と、音声部分と音声部分との間の部分、換言すれば無音声部分が存在する。画像形成装置は、キーワードを含む音声部分と、該音声部分の前後に隣接する無音声部分を除いた音声部分とを含む所定の時間範囲の部分をテキストデータに変換するのが好ましい。キーワードを含む音声部分と、該音声部分の前後の音声部分とをテキストデータに変換することにより、キーワードを含む音声部分を含むまとまった情報を出力できる。
【００３３】
キーワードは、ホストＰＣ２００やパネル装置４００から設定可能である。画像形成装置は、ＮＶＲＡＭ１０８にホストＰＣ２００やパネル装置４００からのキーワードを保存する。キーワードは１つに限らず、複数登録できる。例えば、キーワードは、「地震」、「大雨」などの災害に関する単語や用語であってもよいし、災害に関する単語や用語以外の所望の単語や用語であってもよい。
【００３４】
また、画像形成装置に、ラジオ放送の受信開始時刻、受信終了時刻を設定することもできる。ラジオ放送の受信開始時刻、受信終了時刻は、ホストＰＣ２００やパネル装置４００から設定可能である。画像形成装置は、ＮＶＲＡＭ１０８にホストＰＣ２００やパネル装置４００からのラジオ放送の受信開始時刻、受信終了時刻を保存する。
【００３５】
また、画像形成装置に、印刷開始時刻、印刷終了時刻を設定することもできる。印刷開始時刻、印刷終了時刻は、ホストＰＣ２００やパネル装置４００から設定可能である。ＮＶＲＡＭ１０８にホストＰＣ２００やパネル装置４００からの印刷開始時刻、印刷終了時刻を保存する。画像形成装置は、印刷終了時刻になったら、ＮＶＲＡＭ１０８に印刷終了中のフラグをセットする。画像形成装置は、印刷開始時刻になったら、ＮＶＲＡＭ１０８に印刷終了中のフラグをクリアする。
【００３６】
＜画像形成装置の機能＞
図２は、本実施例による画像形成装置の機能ブロック図を示す。
【００３７】
図２の機能ブロック図により表される機能は、主に、ＣＰＵ１０２により実行される。つまり、ＣＰＵ１０２は、ＣＰＵ１０２に記憶されたプログラム（ファームウェア）およびＲＯＭ１０４に記憶されたアプリケーションの両方またはいずれか一方に従って、キーワード登録部１０２２と、ラジオ受信部制御部１０２４と、ラジオ放送格納処理部１０２６と、音声認識制御部１０２８と、検索部１０３０と、テキストデータ変換部１０３２と、出力制御部１０３４として機能する。
【００３８】
キーワード登録部１０２２は、ネットワークＩ／Ｆ１１０およびパネルＩ／Ｆ１１４と接続される。キーワード登録部１０２２は、ホストＰＣ２００により入力され、ネットワークＩ／Ｆ１１０から入力されるキーワード、およびパネル装置４００により入力され、パネルＩ／Ｆ１１４から入力されるキーワードをＮＶＲＡＭ１０８に登録する。
【００３９】
ラジオ受信部制御部１０２４は、ラジオ受信部５００と接続される。ラジオ受信部制御部１０２４は、ラジオ受信部５００のオン、オフ制御を行う。
【００４０】
例えば、ラジオ受信部制御部１０２４は、ネットワークとの間の接続が切断されたことを検出した場合に、ラジオ受信部５００をオンにする。この場合、ラジオ受信部制御部１０２４は、ネットワークＩ／Ｆ１１０を監視し、ネットワークとの間の接続が切断されたか否かを判断する。ラジオ受信部制御部１０２４は、ネットワークとの間の接続が回復したことを検出した場合に、ラジオ受信部５００をオフにするようにしてもよい。この場合、ラジオ受信部制御部１０２４は、ネットワークＩ／Ｆ１１０を監視し、ネットワークとの間の接続が回復したか否かを判断する。
【００４１】
例えば、ラジオ受信部制御部１０２４は、電話回線との間の接続が切断されたことを検出した場合に、ラジオ受信部５００をオンにする。この場合、ラジオ受信部制御部１０２４は、電話回線端子１１６を監視し、電話回線が切断されたか否かを判断する。ラジオ受信部制御部１０２４は、電話回線との間の接続が回復したことを検出した場合に、ラジオ受信部５００をオフにするようにしてもよい。この場合、ラジオ受信部制御部１０２４は、電話回線端子１１６を監視し、電話回線との間の接続が回復したか否かを判断する。
【００４２】
例えば、ラジオ受信部制御部１０２４は、ラジオ放送の受信開始時刻、受信終了時刻の設定に従って、ラジオ受信部５００のオン、オフ制御を行う。ラジオ受信部制御部１０２４は、ラジオ受信の開始時刻となったことを検出した場合にラジオ受信部５００をオンにし、ラジオ受信の終了時刻となったことを検出した場合にラジオ受信部５００をオフにする。この場合、ラジオ受信部制御部１０２４は、予め設定されるラジオ受信の開始時刻となったか否か、ラジオ受信の終了時刻となったか否かを判断する。
【００４３】
ラジオ放送格納処理部１０２６は、ラジオ受信部５００およびＲＡＭ１０６と接続される。ラジオ放送格納処理部１０２６は、ＲＡＭ１０６にラジオ受信部５００により受信されるラジオ放送を格納する。ラジオ放送格納処理部１０２６は、非圧縮音声フォーマット、非可逆圧縮音声フォーマット、可逆圧縮音声フォーマットなどの所定の音声フォーマットで、ラジオ放送を格納する。
【００４４】
音声認識制御部１０２８は、ＲＡＭ１０６および音声認識部１１８と接続される。音声認識制御部１０２８は、音声認識部１１８にＲＡＭ１０６に格納したラジオ放送を入力する。音声認識制御部１０２８は、音声認識部１１８から音声認識されたラジオ放送（以下、「音声認識データ」という）を取得する。音声認識制御部１０２８は、音声認識データを検索部１０３０に入力する。
【００４５】
検索部１０３０は、ＮＶＲＡＭ１０８と接続される。検索部１０３０は、音声認識制御部１０２８からの音声認識データから、ＮＶＲＡＭ１０８に登録されているキーワードを検索する。検索部１０３０は、音声認識制御部１０２８からの音声認識データから、ＮＶＲＡＭ１０８に登録されているキーワードを検索できた場合、キーワードを含む音声部分と、該音声部分の前後に隣接する無音声部分を除いた音声部分とを含む所定の時間範囲の部分の音声認識データをテキストデータ変換部１０３２へ入力する。また、検索部１０３０は、音声認識制御部１０２８からの音声認識データから、ＮＶＲＡＭ１０８に登録されているキーワードを検索できない場合、出力制御部１０３４にキーワードを検索できなかったことを示す情報を入力する。
【００４６】
テキストデータ変換部１０３２は、検索部１０３０と接続される。テキストデータ変換部１０３２は、検索部１０３０からの音声認識データがテキストデータ以外の形式である場合にテキストデータに変換し、出力制御部１０３４へ入力する。
【００４７】
出力制御部１０３４は、ＮＶＲＡＭ１０８およびエンジンＩ／Ｆ１１２と接続される。また、出力制御部１０３４は、検索部１０３０およびテキストデータ変換部１０３２と接続される。出力制御部１０３４は、検索部１０３０からキーワードを検索できなかったことを示す情報が入力された場合に、その入力された時間とともに、キーワードを検索できなかったことを示す情報をＮＶＲＡＭ１０８に格納する。また、出力制御部１０３４は、テキストデータ変換部１０３２からテキストデータが入力された場合に、その入力された時間とともに、そのテキストデータをＮＶＲＡＭ１０８に格納する。
【００４８】
出力制御部１０３４は、検索部１０３０およびテキストデータ変換部１０３２と接続される。出力制御部１０３４には、印刷開始時刻と印刷終了時刻の設定ができる。出力制御部１０３４に印刷開始時刻と印刷終了時刻の設定がされた場合、出力制御部１０３４は、印刷開始時刻に、ＮＶＲＡＭ１０８に設定される印刷終了中を表すフラグをクリアする。出力制御部１０３４は、ＮＶＲＡＭ１０８に格納されているテキストデータを取得し、エンジンＩ／Ｆ１１２を介して、エンジン３００へ入力する。エンジン３００へ入力されたテキストデータは、エンジン３００で用紙に印刷される。
【００４９】
出力制御部１０３４は、印刷終了時刻に、ＮＶＲＡＭ１０８に設定される印刷終了中を表すフラグをセットし、ＮＶＲＡＭ１０８に格納されているテキストデータを取得し、エンジンＩ／Ｆ１１２を介して、エンジン３００へ入力する制御を中止する。
【００５０】
画像形成装置は、キーワードを含む音声部分を、テキストデータ以外のデータに変換して出力するようにしてもよい。また、例えば、画像形成装置は、キーワードを含む音声部分を、音声認識部１１８により得られる音声認識データと同様の文書データの形式で出力されてもよい。
【００５１】
なお、図１、図２に示される形態は本発明の範囲を限定するものではなく、コントローラ１００、ホストＰＣ２００、エンジン３００、パネル装置４００、ラジオ受信部５００によりシステムが構成されてもよい。
【００５２】
また、ラジオ受信部５００が、ラジオ放送を音声認識する機能（音声認識部１１８）、音声認識されたラジオ放送からキーワードを検索する機能（検索部１０３０）、キーワードを含む音声部分をテキストデータに変換する機能(テキストデータ変換部１０３２)を備えてもよい。また、エンジンが、ラジオ放送を音声認識する機能、音声認識されたラジオ放送からキーワードを検索する機能、キーワードを含む音声部分をテキストデータに変換する機能を備えてもよい。
【００５３】
また、システムを構成するコントローラ１００、ホストＰＣ２００、エンジン３００、パネル装置４００、ラジオ受信部５００は複数台でもよい。また、ラジオ放送を音声認識する機能、音声認識されたラジオ放送からキーワードを検索する機能、キーワードを含む音声部分をテキストデータに変換する機能を備える装置はいずれであってもよい。
【００５４】
なお、この実施例で説明するシステム構成は一例であり、用途や目的に応じて様々なシステム構成例があることは言うまでもない。
【００５５】
＜画像形成装置の動作（その１）＞
図３は、画像形成装置の動作の一実施例を示す。図３は、画像形成装置にキーワードを登録した後の動作を示す。
【００５６】
ステップＳ３０２では、画像形成装置は、ラジオ放送を受信する。ラジオ受信部制御部１０２４によりラジオ受信部５００が制御されることにより、ラジオ受信部５００の受信部５０２が動作し、ラジオ放送が受信される。
【００５７】
ステップＳ３０４では、画像形成装置は、音声を一時保存する。ラジオ受信部５００からのラジオ放送は、ラジオ放送格納処理部１０２６によりＲＡＭ１０６に格納される。
【００５８】
ステップＳ３０６では、画像形成装置は、音声認識を行う。ＲＡＭ１０６に格納されたラジオ受信部５００からのラジオ放送は、音声認識制御部１０２８による制御により音声認識部１１８に入力される。音声認識部１１８は、音声認識制御部１０２８により入力されたラジオ放送を音声認識する。
【００５９】
ステップＳ３０８では、画像形成装置は、音声認識部１１８により音声認識されたラジオ放送にキーワードが含まれるか否かを判定する。音声認識制御部１０２８は、音声認識部１１８から音声認識データを取得し、検索部１０３０に入力する。検索部１０３０は、音声認識制御部１０２８による制御により入力された音声認識データにキーワードが含まれるか否かを判定する。
【００６０】
ステップＳ３１０では、ステップＳ３０８において、音声認識部１１８により音声認識されたラジオ放送にキーワードが含まれると判定した場合、画像形成装置は、音声認識データをテキストデータに変換する。検索部１０３０は、音声認識データにキーワードが含まれる場合、テキストデータ変換部１０３２に該音声認識データを入力する。テキストデータ変換部１０３２は、検索部１０３０からの音声認識データをテキストデータに変換する。
【００６１】
ステップＳ３１２では、ステップＳ３１０によりテキストデータに変換した音声認識データを保存する。テキストデータ変換部１０３２によりテキストデータに変換された音声認識データは、出力制御部１０３４に入力される。出力制御部１０３４は、テキストデータ変換部１０３２からのテキストデータをＮＶＲＡＭ１０８に格納する。
【００６２】
ステップＳ３１４では、ステップＳ３０８で音声認識されたラジオ放送にキーワードが含まれないと判定した場合、またはステップＳ３１２でテキストデータをＮＶＲＡＭ１０８に格納した後、画像形成装置は、テキストデータを印刷する。出力制御部１０３４は、ＮＶＲＡＭ１０８に格納されたテキストデータをエンジンＩ／Ｆ１１２に入力する。エンジン３００へ入力されたテキストデータは、エンジン３００で用紙に印刷される。
【００６３】
＜画像形成装置の動作（その２）＞
図４は、画像形成装置の動作の一実施例（その２）を示す。
【００６４】
図４は、ラジオ受信部５００の電源をオンにする処理を示す。
【００６５】
ステップＳ４０２では、画像形成装置は、ネットワークとの間の接続が切断されたか否かを判定する。ラジオ受信部制御部１０２４は、ネットワークＩ／Ｆ１１０を監視することにより、ネットワークとの間の接続が切断されたか否かを判定する。
【００６６】
ステップＳ４０４では、ステップＳ４０２でネットワークとの間の接続が切断されていないと判定した場合、画像形成装置は、電話回線が切断されたか否かを判定する。ラジオ受信部制御部１０２４は、電話回線端子１１６を監視することにより、電話回線が切断されたか否かを判定する。
【００６７】
ステップＳ４０６は、ステップＳ４０４で電話回線が切断されていないと判定した場合、画像形成装置は、ラジオ受信開始時刻であるか否かを判定する。ラジオ受信部制御部１０２４は、予め設定されるラジオ受信開始時刻であるか否かを判定する。
【００６８】
ステップＳ４０８では、ステップＳ４０２でネットワークとの間の接続が切断されたと判定した場合、ステップＳ４０４で電話回線が切断されたと判定した場合、またはステップＳ４０６でラジオ受信開始時刻と判定した場合、ラジオ受信部５００の電源をオンにする。ラジオ受信部制御部１０２４は、ネットワークとの間の接続が切断されたと判定した場合、電話回線が切断されたと判定した場合、またはラジオ受信開始時刻と判定した場合、ラジオ受信部５００の電源をオンにする。
【００６９】
ステップＳ４０８においてラジオ受信部５００の電源がオンにされた後、図３のステップＳ３０２からの処理が実行される。
【００７０】
図４において、ステップＳ４０２−ステップＳ４０６の処理は、この順序に限られず、異なる順序で実行されてもよい。
【００７１】
また、ラジオ受信部５００の電源をオンにする条件は、図４に示す例に限らず、種々設定可能である。
【００７２】
所定の条件でラジオ受信部５００の電源をオンにすることにより、例えば、災害が発生し、ネットワークまたは電話回線との接続が切断された際に自動的にラジオ受信部５００の電源がオンになるため、操作することなく、ラジオを視聴できる。
【００７３】
＜画像形成装置の動作（その３）＞
図５は、画像形成装置の動作の一実施例（その３）を示す。
【００７４】
図５は、ラジオ受信部の電源をオフにする処理を示す。
【００７５】
ステップＳ５０２では、画像形成装置は、ラジオ受信終了時刻であるか否かを判定する。ラジオ受信部制御部１０２４は、予め設定されるラジオ受信終了時刻であるか否かを判定する。ラジオ受信終了時刻でないと判定した場合、ステップＳ５０２へ戻る。
【００７６】
ステップＳ５０４では、ステップＳ５０２でラジオ受信終了時刻と判定した場合、ラジオ受信部５００の電源をオフにする。ラジオ受信部制御部１０２４は、ラジオ受信終了時刻と判定した場合、ラジオ受信部５００の電源をオフにする。
【００７７】
また、ラジオ受信部５００の電源をオフにする条件は、図５に示す例に限らず、種々設定可能である。
【００７８】
所定の条件でラジオ受信部５００の電源をオフにすることにより、例えば、災害が発生し、ネットワークまたは電話回線との接続が切断された際に自動的にラジオ受信部５００の電源がオンになった場合でも、その後、ラジオ受信終了時刻となった場合には、ラジオをオフにできる。
【００７９】
＜画像形成装置の動作（その４）＞
図６は、画像形成装置の動作の一実施例を示す。図６は、画像形成装置にキーワードを登録した後の動作を示す。図４に示される処理が実行された後に、図６に示される処理が実行されてもよい。
【００８０】
図６に示される例では、図３を参照して説明した画像形成装置の動作（その１）において、ラジオ放送をテキストデータに変換した後、印刷するか否かを設定できるようにしたものである。
【００８１】
ステップＳ６０２−Ｓ６１２は、図３を参照して説明したステップＳ３０２−Ｓ３１２を適用できる。
【００８２】
ステップＳ６１４では、画像形成装置は、印刷終了中に設定されているか否かを判定する。出力制御部１０３４は、ＮＶＲＡＭ１０８に設定される印刷終了中を表すフラグを参照し、印刷終了中に設定されているか否かを判定する。印刷終了中に設定されていると判定した場合、ステップＳ６０２へ戻る。
【００８３】
ステップＳ６１６では、ステップＳ６１４で印刷終了中に設定されていないと判定した場合、画像形成装置は、テキストデータを印刷する。出力制御部１０３４は、ＮＶＲＡＭ１０８に格納されたテキストデータをエンジンＩ／Ｆ１１２に入力する。エンジン３００へ入力されたテキストデータは、エンジン３００で用紙に印刷される。
【００８４】
画像形成装置の一実施例によれば、画像形成装置にラジオ放送を受信する機能と音声認識により音声をテキストに変換する手段とを搭載することにより、ラジオ放送の内容を印刷することができる。
【００８５】
災害が発生した場合には、ネットワークや電話回線が切断され、ネットワークや電話回線への接続ができないことが想定される。この場合、ラジオ放送が情報収集において力を発揮する。
【００８６】
一方、災害が発生した場合には、ラジオ放送を聴ける人だけでなく多くの人に情報を提供できるのが好ましい。画像形成装置の一実施例では、ラジオ放送の内容を印刷できるため、ラジオ放送を聴ける人だけでなく、多くの人に災害に関する情報を広く配布することができるとともに、情報を蓄積することができる。
【００８７】
本発明は特定の実施例、変形例を参照しながら説明されてきたが、各実施例、変形例は単なる例示に過ぎず、当業者は様々な変形例、修正例、代替例、置換例等を理解するであろう。説明の便宜上、本発明の実施例に従った装置は機能的なブロック図を用いて説明されたが、そのような装置はハードウェアで、ソフトウエアで又はそれらの組み合わせで実現されてもよい。本発明は上記実施例に限定されず、本発明の精神から逸脱することなく、様々な変形例、修正例、代替例、置換例等が包含される。
【符号の説明】
【００８８】
１００  コントローラ
１０２  ＣＰＵ
１０４  ＲＯＭ
１０６  ＲＡＭ
１０８  ＮＶＲＡＭ
１１０  ネットワークＩ／Ｆ
１１２  エンジンＩ／Ｆ
１１４  パネルＩ／Ｆ
１１６  電話回線端子
１１８  音声認識部
２００  ホストＰＣ
３００  エンジン
４００  パネル装置
５００  ラジオ受信部
５０２  受信部
５０４  アンテナ
１０２２  キーワード登録部
１０２４  ラジオ受信部制御部
１０２６  ラジオ放送格納処理部
１０２８  音声認識制御部
１０３０  検索部
１０３２  テキストデータ変換部
１０３４  出力制御部
【先行技術文献】
【特許文献】
【００８９】
【特許文献１】特開２００５−２７７８３８号公報
【図１】
2015056839.tif 000003
【図２】
2015056839.tif 000004
【図３】
2015056839.tif 000005
【図４】
2015056839.tif 000006
【図５】
2015056839.tif 000007
【図６】
2015056839.tif 000008